(57)【要約】  本発明は、（ｉ）アニオン性洗浄界面活性剤と、任意に、非イオン性界面活性剤とを含む洗浄界面活性剤であって、任意に、アニオン性洗浄界面活性剤と非イオン性洗浄界面活性剤の重量比が１：１を超える、洗浄界面活性剤、（ｉｉ）任意に、界面活性増進ポリマー、（ｉｉｉ）０重量％〜１０重量％の脂肪酸、（ｉｖ）任意に、シリコーン消泡剤、（ｖ）任意に、構造剤、（ｖｉ）細菌由来リパーゼ、及び（ｖｉｉ）任意に、ホウ素不含酵素安定剤、を含む、液体洗濯洗剤組成物に関し、脱イオン水中１ｇ／Ｌの濃度及び２５℃の温度での、ｍＳｃｍ−１単位における本組成物の電解強度は、好ましくは、２００ｍＳｃｍ−１未満である。【特許請求の範囲】
【請求項１】
液体洗濯洗剤組成物であって、
（ｉ）アニオン性洗浄界面活性剤と、任意に、非イオン性界面活性剤とを含む洗浄界面活性剤であって、任意に、前記アニオン性洗浄界面活性剤と前記非イオン性洗浄界面活性剤の重量比が１：１を超える、洗浄界面活性剤、
（ｉｉ）任意に、界面活性増進ポリマー、
（ｉｉｉ）０重量％〜１０重量％の脂肪酸、
（ｉｖ）任意に、シリコーン消泡剤、
（ｖ）任意に、構造剤、
（ｖｉ）細菌由来リパーゼ、及び
（ｖｉｉ）任意に、ホウ素不含酵素安定剤、を含み、
任意に、脱イオン水中１ｇ／Ｌの濃度及び２５℃の温度での、ｍＳｃｍ−１単位における前記組成物の電解強度が、２００ｍＳｃｍ−１未満であり、
前記細菌由来リパーゼが、
（ａ）ＳｒｉＩＩと少なくとも６０％、好ましくは少なくとも９０％の相同性を有するリパーゼ、
（ｂ）ＳｃｏＩＩＡと少なくとも６０％、好ましくは少なくとも９０％の相同性を有するリパーゼ、
（ｃ）ＳｃｏＩＩＢと少なくとも６０％、好ましくは少なくとも９０％の相同性を有するリパーゼ、及び
（ｄ）ＣｅｆＩＩと少なくとも６０％、好ましくは少なくとも９０％の相同性を有するリパーゼ、から選択される、組成物。
【請求項２】
前記組成物が色調染料を含む、請求項１に記載の組成物。
【請求項３】
前記組成物が、アルカノールアンモニウムカチオン、好ましくは９．０未満のｐＫａを有する三級アルカノールアミンを含む、請求項１に記載の組成物。
【請求項４】
前記アニオン性洗浄界面活性剤の少なくとも６０重量％がナトリウムカチオンにより中和される、請求項１〜３のいずれか一項に記載の組成物。
【請求項５】
前記アニオン性洗浄界面活性剤が８．０〜９．１の親水性指数（ＨＩＣ）を有する、請求項１〜４のいずれか一項に記載の組成物。
【請求項６】
前記組成物が、分枝状アニオン性洗浄界面活性剤及び／又は分枝状非イオン性洗浄界面活性剤を含む、請求項１〜５のいずれか一項に記載の組成物。
【請求項７】
前記分枝状アニオン性洗浄界面活性剤及び／又は分枝状非イオン性洗浄界面活性剤が天然源に由来し、好ましくは前記天然源が生体由来イソプレノイドを含み、最も好ましくはファルネセンである、請求項６に記載の組成物。
【請求項８】
前記組成物が、少なくとも０．２重量％〜５重量％のカルシウム及び／又はマグネシウムカチオンを含む、請求項１〜７のいずれか一項に記載の組成物。
【請求項９】
前記組成物が少なくとも０．０１重量％の活性酵素を含む、請求項１〜８のいずれか一項に記載の組成物。
【請求項１０】
前記組成物が、プロテアーゼ、アミラーゼ、リパーゼ及び／又はセルラーゼから選択される酵素を含む少なくとも三成分酵素系を含む、請求項１〜９のいずれか一項に記載の組成物。
【請求項１１】
前記組成物が追加的に、
（ｉ）野生型アミノ酸と９０％超の相同性を有し、Ｔ２３１及び／又はＮ２３３にて置換（１つ又は複数）を含むサーモミセス・ラヌギノーサリパーゼの変異体、並びに、
（ｉｉ）好ましくは、脂肪族アルコールゲルネットワーク、を含む、請求項１〜１０のいずれか一項に記載の組成物。
【請求項１２】
前記組成物がエンド−β−１，４グルカナーゼ活性を示す酵素を含む、請求項１〜１１のいずれか一項に記載の組成物。
【請求項１３】
前記組成物が、バチルスｓｐ．ＤＳＭ  １２６４９に内因性のＡＡ５６０アルファアミラーゼと６０％超の相同性を有するアミラーゼ、好ましくは、
（ａ）９、２６、１４９、１８２、１８６、２０２、２５７、２９５、２９９、３２３、３３９及び３４５の１つ以上の位置において変異を有し、並びに、
（ｂ）任意に、１１８、１８３、１８４、１９５、３２０及び４５８（存在する場合には好ましくはＲ１１８Ｋ、Ｄ１８３＊、Ｇ１８４＊、Ｎ１９５Ｆ、Ｒ３２０Ｋ及び／又はＲ４５８Ｋを含む）の１つ以上、好ましくはすべての位置において、置換及び／又は欠失を有する、バチルスｓｐ．ＤＳＭ  １２６４９に内因性のＡＡ５６０アルファアミラーゼの変異体、を含む、請求項１〜１２のいずれか一項に記載の組成物。
【請求項１４】
前記組成物が、両親媒性アルコキシル化グリース洗浄ポリマー及び／又はランダムグラフトコポリマーである界面活性増進ポリマーを含む、請求項１〜１３のいずれか一項に記載の組成物。
【請求項１５】
布地の洗濯方法であって、請求項１〜１４のいずれか一項に記載の液体洗濯洗剤組成物を水に接触させて洗浄液を形成する工程と、前記洗浄液中で布地を洗濯する工程と、を含み、前記洗濯洗剤が、前記洗浄液中の前記洗濯洗剤組成物の濃度が０ｇ／Ｌ超過〜４ｇ／Ｌであるように水に接触され、前記洗浄液１リットル当たり０．０１ｋｇ〜２ｋｇの布地が、前記洗浄液中に投与される、方法。
【発明の詳細な説明】
【技術分野】
【０００１】
本発明は、細菌由来リパーゼを含むコンパクト液体洗濯洗剤組成物に関する。このような液体洗濯洗剤組成物は、（ｉ）アニオン性洗浄界面活性剤と、任意に、非イオン性界面活性剤とを含む洗浄界面活性剤であって、アニオン性洗浄界面活性剤と非イオン性洗浄界面活性剤の重量比が１：１を超える、洗浄界面活性剤、（ｉｉ）任意に、界面活性増進ポリマー（surfactancy boosting polymer）、（ｉｉｉ）０重量％〜１０重量％の脂肪酸、（ｉｖ）任意に、シリコーン消泡剤、（ｖ）任意に、構造剤、（ｖｉ）細菌由来リパーゼ、及び（ｖｉｉ）任意に、ホウ素不定剤を含む。
【背景技術】
【０００２】
より小型でより濃縮された製品形態、より低温での洗浄及びより短時間での洗浄に対する最近の液体洗濯洗剤消費者の選好により、液体洗剤配合者は一連の様々な制限を取り扱うことになった。加えて、消費者は、これらのより低温での洗浄及びより短時間での洗浄に使用するためのより小型のコンパクト液体洗濯洗剤製品を望むだけではなく、これらのコンパクト製品が、従来の非コンパクト液体洗剤がより高温での洗浄及びより長時間での洗浄サイクルで有するのと同じ性能を有することも望んでおり、これは、応えるのがきわめて困難な消費者ニーズである。
【発明の概要】
【発明が解決しようとする課題】
【０００３】
コンパクト液体洗濯洗剤製品は、洗剤成分を組み込むためのスペースをより少量しか有さないことから、洗剤配合者に、特に配合スペースのほとんどを占める界面活性剤、ビルダー及び溶媒のようなバルク洗剤成分の濃度を制限させるなどの大きな制約を課す。これらのコンパクト液体洗濯洗剤製品に組み込まれる洗剤成分のために、洗剤配合者は、これらの洗剤成分の効率及び全体としてのコンパクト液体洗濯洗剤組成物の効率を大きく改善しなければならない。液体洗濯洗剤組成物をコンパクト化するとき、良好な洗浄性能、特にグリース洗浄性能、良好な匂いプロファイル及び良好な製品安定性を維持することが必要である。
【０００４】
本発明は、特定の細菌由来リパーゼを含む液体洗濯洗剤組成物を提供する。
【０００５】
本発明は、請求項１によって定義されるような液体洗濯洗剤組成物に関する。
【発明を実施するための形態】
【０００６】
液体洗濯洗剤組成物。本組成物は、任意の液体形態、例えば、液体若しくはゲル形態、固体、又はこれらの任意の組み合わせとすることができる。本組成物は、任意の単位用量の形態、例えば、小袋の形態にすることができる。しかしながら、本組成物がゲル形態であることが特にきわめて好ましい。
【０００７】
本組成物は、完全に完成した洗濯洗剤組成物である。本組成物は、洗濯洗剤組成物中に組み込むことができるただの洗濯洗剤組成物の一成分ではなく、完成した洗濯洗剤組成物である。とは言え、追加的なすすぎ添加剤組成物（例えば、布地柔軟剤又は強化剤）、又は主要洗浄添加剤組成物（例えば、漂白添加剤）を、本発明の方法の間に、この液体洗濯洗剤組成物と組み合わせて使用することもまた、本発明の範囲内である。しかしながら、本発明の方法中に、一切の漂白添加剤組成物を洗濯洗剤組成物と組み合わせて使用しないことも好ましいものであり得る。
【０００８】
本液体洗濯洗剤組成物は、（ｉ）アニオン性洗浄界面活性剤と、任意に、非イオン性界面活性剤とを含む洗浄界面活性剤であって、任意に、アニオン性洗浄界面活性剤と非イオン性洗浄界面活性剤の重量比が１：１を超える、洗浄界面活性剤、（ｉｉ）任意に、界面活性増進ポリマー、（ｉｉｉ）０重量％〜１０重量％の脂肪酸、（ｉｖ）任意に、シリコーン消泡剤、（ｖ）任意に、構造剤、（ｖｉ）細菌由来リパーゼ、及び（ｖｉｉ）任意に、ホウ素不含酵素安定剤を含む。脱イオン水中１ｇ／Ｌの濃度及び２５℃の温度での、ｍＳｃｍ−１単位における本組成物の電解強度は、好ましくは、２００ｍＳｃｍ−１未満である。本組成物中では、脂肪酸を低濃度に保ち、かつ／又は、アルカノールアミンを使用することが好ましい場合があり、このアルカノールアミンは、好ましくは、９．０未満、又は更に８．０未満のｐＫａを有する第三級アルカノールアミンであり、好ましくは、低分子量及び低ｐＫａに由来するある程度の緩衝能を製剤中で提供する、トリ−イソプロパノールアミン（ＴＩＰＡ）、及び／又はトリエタノールアミン（ＴＥＡ）であり、特に好ましくはＴＥＡである。
【０００９】
好ましくは、本組成物は、（ｉ）アニオン性洗浄界面活性剤と非イオン性界面活性剤とを含む洗浄性界面活性剤であって、アニオン性洗浄界面活性剤と非イオン性洗浄界面活性剤の重量比が１：１を超え、任意に、アニオン性洗浄界面活性剤が８．０〜９．１の親水性指数（ＨＩＣ）を有する、洗浄性界面活性剤、（ｉｉ）界面活性増進ポリマー、（ｉｉｉ）０重量％〜５重量％の脂肪酸、（ｉｖ）シリコーン消泡剤、（ｖ）構造剤、（ｖｉ）酵素、及び（ｖｉｉ）非ホウ素系酵素安定剤を含み、脱イオン水中１ｇ／Ｌの濃度及び２５℃の温度でのｍＳｃｍ−１単位における本組成物の電解強度は好ましくは２００ｍＳｃｍ−１である。
【００１０】
洗浄界面活性剤。洗浄界面活性剤は典型的にはアニオン性洗浄界面活性剤と非イオン性界面活性剤を含み、好ましくはアニオン性洗浄界面活性剤と非イオン性洗浄界面活性剤の重量比は１：１を超え、好ましくは１．５：１を超え、又は更には２：１を超え、又は更には２．５：１を超え、又は３：１を超える。
【００１１】
本組成物は好ましくは洗浄界面活性剤を含み、好ましくは１０重量％〜４０重量％、好ましくは１２重量％、又は１５重量％、又は更には１８重量％の洗浄界面活性剤を含む。好ましくは、界面活性剤は、アルキルベンゼンスルホネート及び１種以上の洗浄補助界面活性剤を含む。界面活性剤は、好ましくは、Ｃ１０〜Ｃ１３アルキルベンゼンスルホネート及び１種以上の補助界面活性剤を含む。補助界面活性剤は、好ましくは１〜７の平均エトキシル化度を有するＣ１２〜Ｃ１８アルキルエトキシル化アルコール；好ましくは１〜５の平均エトキシル化度を有するＣ１２〜Ｃ１８アルキルエトキシル化サルフェート；及びこれらの混合物からなる群から好ましくは選択される。しかしながら、その他の界面活性剤系も、本発明に使用するのに好適な場合もある。
【００１２】
好適な洗浄界面活性剤としては、アニオン性洗浄界面活性剤、非イオン性洗浄界面活性剤、カチオン性洗浄界面活性剤、双極性イオンの洗浄界面活性剤、両性洗浄界面活性剤、及びこれらの混合物が挙げられる。
【００１３】
好適なアニオン性洗浄界面活性剤としては、アルキルサルフェート；アルキルスルホネート；アルキルホスフェート；アルキルホスホネート；アルキルカルボキシレート；及びこれらの混合物が挙げられる。アニオン性界面活性剤は、Ｃ１０〜Ｃ１８アルキルベンゼンスルホネート（ＬＡＳ）、好ましくはＣ１０〜Ｃ１３アルキルベンゼンスルホネート；Ｃ１０〜Ｃ２０一級、分岐、直鎖及びランダム鎖アルキルサルフェート（ＡＳ）で、典型的には次の式を有するものからなる群から選択される。
【００１４】
ＣＨ３（ＣＨ２）ｘＣＨ２−ＯＳＯ３−Ｍ＋
式中、Ｍは、水素又は電気的中性を提供するカチオンであり、好ましいカチオンはナトリウム及びアンモニウムカチオンであり、式中、ｘは、少なくとも７の整数であり、好ましくは少なくとも９の整数であり、Ｃ１０〜Ｃ１８二級（２，３）アルキルサルフェートで、通常、次式を有する。
【化１】
2013532204.tif 000002
式中、Ｍは、水素又は電気的中性を提供するカチオンであり、好適なカチオンにはナトリウムカチオンとアンモニウムカチオンが挙げられ、式中、ｘは、少なくとも７の整数であり、好ましくは少なくとも９の整数であり、ｙは、少なくとも８の整数であり、好ましくは少なくとも９の整数であり、米国特許第６，０２０，３０３号及び同第６，０６０，４４３号により詳細に記載されているようなＣ１０〜Ｃ１８のアルキルアルコキシカルボキシレート、中鎖分岐アルキルサルフェート；国際公開特許第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号及び同第００／２３５４８号により詳細に記載されているような変性アルキルベンゼンサルフェート（ＭＬＡＳ）；メチルエステルスルホネート（ＭＥＳ）；α−オレフィンスルホネート（ＡＯＳ）及びこれらの混合物からなる群から選択されてよい。
【００１５】
好ましいアニオン性洗浄界面活性剤としては、直鎖又は分岐鎖、置換又は非置換アルキルベンゼンスルホネート洗浄界面活性剤、好ましくは直鎖Ｃ８〜Ｃ１８アルキルベンゼンスルホネート洗浄界面活性剤；直鎖又は分岐鎖、置換又は非置換アルキルベンゼンサルフェート洗浄界面活性剤；直鎖又は分岐鎖、置換又は非置換アルキルサルフェート洗浄界面活性剤（直鎖Ｃ８〜Ｃ１８アルキルサルフェート洗浄界面活性剤、Ｃ１〜Ｃ３アルキル分岐Ｃ８〜Ｃ１８アルキルサルフェート洗浄界面活性剤、直鎖又は分岐鎖アルコキシル化Ｃ８〜Ｃ１８アルキルサルフェート洗浄界面活性剤及びそれらの混合物を含む）；直鎖又は分岐鎖、置換又は非置換アルキルスルホネート洗浄界面活性剤；並びにこれらの混合物が挙げられる。
【００１６】
好ましいアルコキシル化アルキルサルフェート洗浄界面活性剤は、平均アルコキシル化度が１〜３０、好ましくは１〜１０の、直鎖又は分岐鎖、置換又は非置換Ｃ８〜１８アルキルアルコキシル化サルフェート洗浄界面活性剤である。好ましくは、アルコキシル化アルキル硫酸塩洗浄界面活性剤は、平均エトキシル化度が１〜１０の、直鎖又は分岐鎖、置換又は非置換Ｃ８〜１８アルキルエトキシル化サルフェートである。最も好ましくは、アルコキシル化アルキルサルフェート洗浄界面活性剤は、平均エトキシル化度が３〜７の、直鎖、非置換Ｃ８〜１８アルキルエトキシル化サルフェートである。
【００１７】
好ましいアニオン性洗浄界面活性剤は、直鎖又は分岐鎖、置換又は非置換のＣ１２〜１８アルキルスルフェート類；直鎖又は分岐鎖、置換又は非置換のＣ１０〜１３アルキルベンゼンスルホネート類、好ましくは直鎖Ｃ１０〜１３アルキルベンゼンスルホネート類；及びこれらの混合物からなる群から選択される。きわめて好ましいのは、直鎖Ｃ１０〜１３アルキルベンゼンスルホネート類である。大いに好ましいのは、市販の直鎖アルキルベンゼン（ＬＡＢ）をスルホン化することによって得ることができ、好ましくは、そのようにして得た、直鎖Ｃ１０〜１３アルキルベンゼンスルホネートであり、好適なＬＡＢとしては、Ｓａｓｏｌより商品名Ｉｓｏｃｈｅｍ（登録商標）で市販されているもの、又はＰｅｔｒｅｓａより商品名Ｐｅｔｒｅｌａｂ（登録商標）で市販されているものなどの、低２−フェニルＬＡＢが挙げられ、他の好適なＬＡＢとしては、Ｓａｓｏｌより商品名Ｈｙｂｌｅｎｅ（登録商標）で市販されているものなどの、高２−フェニルＬＡＢが挙げられる。好適なアニオン性洗浄界面活性剤は、ＤＥＴＡＬ触媒プロセスによって得られるアルキルベンゼンスルホネートであるが、ＨＦなどの他の合成経路もまた好適な場合がある。
【００１８】
別の好適なアニオン性洗浄界面活性剤は、アルキルエトキシカルボキシレートである。
【００１９】
アニオン性洗浄界面活性剤は、典型的にはその塩形態で存在し、典型的には好適なカチオンと錯体化している。好適な対イオンとしては、Ｎａ＋及びＫ＋、Ｃ１〜Ｃ６アルカノールアンモニウムなどの置換アンモニウム、好ましくはモノエタノールアミン（ＭＥＡ）、トリエタノールアミン（ＴＥＡ）、ジエタノールアミン（ＤＥＡ）及びこれらの任意の組み合わせが挙げられる。
【００２０】
しかしながら、好ましくは少なくとも２０重量％、又は少なくとも３０重量％、又は少なくとも４０重量％、又は少なくとも５０重量％、又は少なくとも６０重量％、又は少なくとも７０重量％、又は少なくとも８０重量％、又は更には少なくとも９０重量％のアニオン性洗浄界面活性剤がナトリウムカチオンにより中和される。
【００２１】
アニオン性洗浄界面活性剤が８．０〜９．１の親水性指数（ＨＩＣ）を有することも好ましいものであり得、あるいは、アニオン性洗浄界面活性剤が６．０〜８．０又は７．０〜８．０未満の範囲にあるものなどのより低い親水性指数（ＨＩＣ）を有することも更に好ましいものであり得る。親水性指数（ＨＩＣ）は、国際公開第００／２７９５８号により詳細に記載されている。
【００２２】
好適なカチオン性洗浄界面活性剤としては、アルキルピリジニウム化合物；アルキル四級アンモニウム化合物；アルキル四級ホスホニウム化合物；アルキル３級スルホニウム化合物；並びにこれらの混合物が挙げられる。カチオン性洗浄界面活性剤は、米国特許第６，１３６，７６９号により詳細に記載されているようなアルコキシレート四級アンモニウム（ＡＱＡ）界面活性剤、米国特許第６，００４，９２２号により詳細に記載されているようなジメチルヒドロキシエチル四級アンモニウム、国際公開特許第９８／３５００２号、同第９８／３５００３号、同第９８／３５００４号、同第９８／３５００５号、及び同第９８／３５００６号により詳細に記載されているようなポリアミン系カチオン性界面活性剤、米国特許第４，２２８，０４２号、同第４，２３９，６６０号、同第４，２６０，５２９号、及び同第６，０２２，８４４号により詳細に記載されているようなカチオン性エステル界面活性剤、米国特許第６，２２１，８２５号及び国際公開特許第００／４７７０８号により詳細に記載されているようなアミノ系界面活性剤、特にアミドプロピルジメチルアミン及びその混合物からなる群から選択され得る。好適なカチオン性洗浄界面活性剤は、次の一般式を有する四級アンモニウム化合物である：
（Ｒ）（Ｒ１）（Ｒ２）（Ｒ３）Ｎ＋Ｘ−
式中、Ｒは直鎖又は分岐鎖、置換又は非置換の、Ｃ６〜１８アルキル又はアルケニル部分であり、Ｒ１及びＲ２は、独立して、メチル又はエチル部分から選択され、Ｒ３は、ヒドロキシル、ヒドロキシメチル又はヒドロキシエチル部分であり、Ｘは、電気的中性を提供するアニオンであり、好適なアニオンには、ハロゲン化物（塩化物等）、サルフェート及びスルホネートが挙げられる。好ましいカチオン性洗浄界面活性剤は、モノ−Ｃ６〜１８アルキルモノヒドロキシエチルジメチル四級アンモニウムクロライドである。非常に好ましいカチオン性洗浄界面活性剤は、モノ−Ｃ８〜１０アルキルモノヒドロキシエチルジメチル四級アンモニウムクロライド、モノ−Ｃ１０〜１２アルキルモノヒドロキシエチルジメチル四級アンモニウムクロライド、及びモノ−Ｃ１０アルキルモノヒドロキシエチルジメチル四級アンモニウムクロライドである。
【００２３】
好適な非イオン性洗浄界面活性剤は、Ｃ８〜Ｃ１８アルキルエトキシレート、例えば、ＳｈｅｌｌからのＮＥＯＤＯＬ（登録商標）非イオン性界面活性剤；Ｃ６〜Ｃ１２アルキルフェノールアルコキシラートであって、ここで、アルコキシラート単位が、エチレンオキシ単位、プロピレンオキシ単位、又はこれらの混合物であるもの；エチレンオキシド／プロピレンオキシドブロックポリマーとの、Ｃ１２〜Ｃ１８アルコール縮合物及びＣ６〜Ｃ１２アルキルフェノール縮合物、例えば、ＢＡＳＦ社製Ｐｌｕｒｏｎｉｃ（登録商標）；米国特許第６，１５０，３２２号においてより詳細に記載されているＣ１４〜Ｃ２２中鎖分枝アルコール、ＢＡ；米国特許第６，１５３，５７７号、同第６，０２０，３０３号及び同第６，０９３，８５６号においてより詳細に記載されているＣ１４〜Ｃ２２中鎖分枝アルキルアルコキシラート、ＢＡＥｘ、ここで、ｘ＝１〜３０；米国特許第４，５６５，６４７号においてより詳細に記載されているアルキル多糖、特に、米国特許第４，４８３，７８０号及び同第４，４８３，７７９号においてより詳細に記載されているアルキルポリグリコシド；米国特許第５，３３２，５２８号、国際公開特許第９２／０６１６２号、同第９３／１９１４６号、同第９３／１９０３８号、及び同第９４／０９０９９号においてより詳細に記載されているポリヒドロキシ脂肪酸アミド；米国特許第６，４８２，９９４号及び国際公開特許第０１／４２４０８号においてより詳細に記載されているエーテルで末端保護されたポリ（オキシアルキル化）アルコール界面活性剤；並びにこれらの混合物からなる群より選択することができる。
【００２４】
非イオン性洗浄界面活性剤は、アルキルポリグルコシド及び／又はアルキルアルコキシル化アルコールであり得る。好ましくは、非イオン性洗浄界面活性剤は、平均エトキシル化度が１〜１０、より好ましくは３〜７の、直鎖又は分岐鎖、置換又は非置換Ｃ８〜１８アルキルエトキシ化アルコールである。
【００２５】
好適な双極性イオン及び／又は両性洗浄界面活性剤としては、アルカノールアミンスルホベタインが挙げられる。
【００２６】
本組成物が分枝状アニオン性洗浄界面活性剤及び／又は分枝状非イオン性洗浄界面活性剤を含むことが好ましいものであり得る。好ましくは、分枝状アニオン性洗浄界面活性剤及び／又は分枝状非イオン性洗浄界面活性剤は、天然資源に由来し、好ましくは天然資源は生体由来イソプレノイドを含み、最も好ましくはファルネセンである。
【００２７】
界面活性増進ポリマー。本組成物は、界面活性増進ポリマーを含んでもよい。好ましいポリマーは、両親媒性アルコキシル化グリース洗浄ポリマー及び／又はランダムグラフトコポリマーである。これらのポリマーは、下記でより詳細に説明される。
【００２８】
両親媒性アルコキシル化グリース洗浄ポリマー。両親媒性アルコキシル化グリース洗浄ポリマーは、布地及び表面からグリース粒子を除去するように親水性と疎水性の特性が釣り合っている任意のアルコキシル化ポリマーを指す。本発明の両親媒性アルコキシル化グリース洗浄ポリマーの具体的な実施形態は、コア構造と、そのコア構造に結合した複数のアルコキシレート基と、を含む。
【００２９】
コア構造は、式（Ｉ）、（ＩＩ）、（ＩＩＩ）及び（ＩＶ）：
【化２】
2013532204.tif 000003
の反復単位を縮合形態で含むポリアルキレンイミン構造（式中、＃は、各場合において、窒素原子と式（Ｉ）、（ＩＩ）、（ＩＩＩ）又は（ＩＶ）の２つの隣接する反復単位のＡ１基の遊離結合部位との間の結合の半分を示し、＊は、各場合において、アルコキシレート基のうちの１つに対する結合の半分を示し、Ａ１は、直鎖又は分枝鎖のＣ２〜Ｃ６−アルキレンから独立して選択され、ポリアルキレンイミン構造は、式（Ｉ）の１反復単位、式（ＩＩ）のｘ反復単位、式（ＩＩＩ）のｙ反復単位及び式（ＩＶ）のｙ＋１反復単位からなり、ｘ及びｙは、各場合において、０〜約１５０の範囲の値を有し、ポリアルキレンイミンコア構造の平均重量平均分子量Ｍｗは、約６０〜約１０，０００ｇ／ｍｏｌの範囲の値である）を含んでもよい。
【００３０】
あるいは、コア構造は、式（Ｉ．ａ）及び／又は（Ｉ．ｂ）のＮ−（ヒドロキシアルキル）アミンから選択される少なくとも１つの化合物の縮合生成物のポリアルカノールアミン構造
【化３】
2013532204.tif 000004
（式中、Ａは、Ｃ１〜Ｃ６−アルキレンから独立して選択され、Ｒ１、Ｒ１＊、Ｒ２、Ｒ２＊、Ｒ３、Ｒ３＊、Ｒ４、Ｒ４＊、Ｒ５及びＲ５＊は、水素、アルキル、シクロアルキル又はアリールから独立して選択され、後者３つの言及されたラジカルは任意に、置換されてもよく、Ｒ６は、水素、アルキル、シクロアルキル又はアリールから選択され、後者３つの言及されたラジカルは任意に置換されてもよい）かのいずれかを含んでもよい。
【００３１】
コア構造に結合した複数のアルキレンオキシ基は、式（Ｖ）のアルキレンオキシ単位
【化４】
2013532204.tif 000005
（式中、＊は、各場合において、式（Ｉ）、（ＩＩ）又は（ＩＶ）の反復単位の窒素原子に対する結合の半分を示し、Ａ２は、各場合において、１，２−プロピレン、１，２−ブチレン及び１，２−イソブチレンから独立して選択され、Ａ３は、１，２−プロピレンであり、Ｒは、各場合において、水素及びＣ１〜Ｃ４−アルキルから独立して選択され、ｍは０〜約２の範囲の平均値を有し、ｎは約２０〜約５０の範囲の平均値を有し、ｐは約１０〜約５０の範囲の平均値を有する）から独立して選択される。
【００３２】
両親媒性アルコキシル化グリース洗浄ポリマーの特定の実施形態は、内側ポリエチレンオキシドブロックと外側ポリプロピレンオキシドブロックとを有するアルコキシル化ポリアルキレンイミンから選択されてもよく、エトキシル化度及びプロポキシル化度は特定の制限値を上回りも下回りもしない。本発明によるアルコキシル化ポリアルキレンイミンの特定の実施形態では、ポリエチレンブロックのポリプロピレンブロックに対する比率（ｎ／ｐ）の最小値が約０．６であり、最大値が約１．５（ｘ＋２ｙ＋１）１／２である。約０．８〜約１．２（ｘ＋２ｙ＋１）１／２のｎ／ｐ比率を有するアルコキシル化ポリアルキレンイミンは、特に有益な特性を有することが判明している。
【００３３】
本発明で有用なアルコキシル化ポリアルキレンイミンは第一級、第二級及び第三級アミン窒素原子からなる主鎖を有し、これらの窒素原子はアルキレンラジカルＡにより互いに結合し、ランダムに配列される。ポリアルキレンイミン骨格の主鎖及び側鎖を開始又は終止し、その残りの水素原子が引き続いてアルキレンオキシ単位により置換される第一級アミノ部分は、それぞれ式（Ｉ）又は（ＩＶ）の反復単位と呼ばれる。残りの水素原子が引き続いてアルキレンオキシ単位により置換される第二級アミノ部分は、式（ＩＩ）の反復単位と呼ばれる。主鎖と側鎖に分岐する第三級アミノ部分は、式（ＩＩＩ）の反復単位と呼ばれる。
【００３４】
環化はポリアルキレンイミン主鎖の形成時に生じ得るので、環状アミノ部分が主鎖内に小量存在する場合もある。環状アミノ部分を含有するこのようなポリアルキレンイミンは、無論、非環状第一級及び第二級アミノ部分からなるものと同様にアルコキシル化される。
【００３５】
窒素原子及びＡ１基からなるポリアルキレンイミン主鎖は、約６０〜約１０，０００ｇ／モル、好ましくは約１００〜約８，０００ｇ／モル、より好ましくは約５００〜約６，０００ｇ／モルの平均分子量Ｍｗを有する。
【００３６】
和（ｘ＋２ｙ＋１）は、１つの個々のポリアルキレンイミン主鎖内に存在するアルキレンイミン単位の総数に相当し、それゆえにポリアルキレンイミン主鎖の分子量に直接関わる。しかしながら、指定で与えられた値は、混合物中に存在する全てのポリアルキレンイミンの数平均に関わる。和（ｘ＋２ｙ＋２）は、１つの個々のポリアルキレンイミン主鎖内に存在するアミノ基の総数に相当する。
【００３７】
アミノ窒素原子に接続するラジカルＡ１は、１，２−エチレン、１，２−プロピレン、１，２−ブチレン、１，２−イソブチレン、１，２−ペンタンジイル、１，２−ヘキサンジイル又はヘキサメチレンなどの、同一又は異なる、直鎖又は分枝鎖Ｃ２〜Ｃ６−アルキレンラジカルであり得る。好ましい分枝状アルキレンは、１，２−プロピレンである。好ましい直鎖アルキレンは、エチレン及びヘキサメチレンである。より好ましいアルキレンは、１，２−エチレンである。
【００３８】
ポリアルキレンイミン主鎖の第一級及び第二級アミノ基の水素原子は、式（Ｖ）のアルキレンオキシ単位により置換される。
【化５】
2013532204.tif 000006
【００３９】
この式では、可変因子は、好ましくは、以下に与えられる意味のうちの１つを有する。
【００４０】
Ａ２は、各場合において、１，２−プロピレン、１，２−ブチレン及び１，２−イソブチレンから選択され、好ましくはＡ２は、１，２−プロピレンである。Ａ３は１，２−プロピレンであり、Ｒは、各場合において、水素、及びメチル、エチル、ｎ−プロピル、イソプロピル、ｎ−ブチル、イソブチル及びｔｅｒｔ−ブチルなどのＣ１〜Ｃ４アルキルから選択され、好ましくはＲは水素である。添え字ｍは、各場合において、０〜約２の値を有し、好ましくはｍは０又はおよそ１であり、より好ましくはｍは０である。添え字ｎは、約２０〜約５０の範囲、好ましくは約２２〜約４０の範囲、より好ましくは約２４〜約３０の範囲の平均値を有する。添え字ｐは、約１０〜約５０の範囲、好ましくは約１１〜約４０の範囲、より好ましくは約１２〜約３０の範囲の平均値を有する。
【００４１】
好ましくは、式（Ｖ）のアルキレンオキシ単位は、アルコキシレートブロックの非ランダム配列である。非ランダム配列により、［−Ａ２−Ｏ−］ｍが１番目に付加され（すなわち、式（Ｉ）、（ＩＩ）又は（ＩＩＩ）の反復単位の窒素原子に対する結合に最も近接している）、［−ＣＨ２−ＣＨ２−Ｏ−］ｎが２番目に付加され、［−Ａ３−Ｏ−］ｐが３番目に付加されることが意味される。この配向は、内側ポリエチレンオキシドブロックと外側ポリプロピレンオキシドブロックとを有するアルコキシル化ポリアルキレンイミンを提供する。
【００４２】
式（Ｖ）のこれらのアルキレンオキシ単位のかなりの部分は、エチレンオキシ単位−［ＣＨ２−ＣＨ２−Ｏ）］ｎ−及びプロピレンオキシ単位−［ＣＨ２−ＣＨ２（ＣＨ３）−Ｏ］ｐ−により形成される。アルキレンオキシ単位はまた追加的に、低い割合でプロピレンオキシ又はブチレンオキシ単位−［Ａ２−Ｏ］ｍ−を有してもよく、すなわち、水素原子で飽和したポリアルキレンイミン主鎖は、存在するＮＨ−部分１モル当たりで最大約２モル、特に約０．５〜約１．５モル、特に約０．８〜約１．２モルの、少量のプロピレンオキシド又はブチレンオキシドと最初に反応させてもよい、すなわち、初期にアルコキシル化させてもよい。
【００４３】
ポリアルキレンイミン主鎖のこの最初の修飾により、必要である場合には、アルコキシル化における反応混合物の粘性を低下させることができる。しかしながら、修飾は一般にアルコキシル化ポリアルキレンイミンの性能特性に影響せず、したがって、好ましい尺度を構成しない。
【００４４】
両親媒性アルコキシル化グリース洗浄ポリマーは、本発明の洗剤及び洗浄組成物中に、好ましくは組成物の約０．０５重量％〜約１０重量％の範囲の濃度で存在する。本組成物の実施形態は、約０．１重量％〜約５重量％を含んでもよい。より具体的には、本実施形態は、約０．２５〜約２．５％のグリース洗浄ポリマーを含んでもよい。
【００４５】
ランダムグラフトコポリマー。好適なランダムグラフトコポリマーは典型的には、（ｉ）不飽和Ｃ１〜Ｃ６カルボン酸、エーテル、アルコール、アルデヒド、ケトン、エステル、糖単位、アルコキシ単位、無水マレイン、飽和ポリアルコール（例えばグリセロールなど）、及びこれらの混合物からなる群から選択されるモノマーを含む親水性主鎖、並びに、（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群から選択される疎水性側鎖、を含む。
【００４６】
このポリマーは好ましくは、次の一般式を有する：
【化６】
2013532204.tif 000007
（式中、Ｘ、Ｙ及びＺはＨ又はＣ１〜６アルキルから独立して選択される末端保護単位であり、各Ｒ１はメチル及びエチルから独立して選択され；各Ｒ２はＨ及びメチルから独立して選択され；各Ｒ３は独立してＣ１〜４アルキルであり、並びに各Ｒ４はピロリドン及びフェニル基から独立して選択される）。ポリエチレンオキシド主鎖の重量平均分子量は典型的に、約１，０００ｇ／ｍｏｌ〜約１８，０００ｇ／ｍｏｌ、又は約３，０００ｇ／ｍｏｌ〜約１３，５００ｇ／ｍｏｌ、又は約４，０００ｇ／ｍｏｌ〜約９，０００ｇ／ｍｏｌである。ペンダント基がポリマーの少なくとも５０重量％、又は約５０重量％〜約９８重量％、又は約５５重量％〜約９５％、又は約６０重量％〜約９０重量％を構成するように、ｍ、ｎ、ｏ、ｐ及びｑは選択される。本明細書で有用なポリマーは、典型的には約１，０００〜約１００，０００ｇ／モル、又は好ましくは約２，５００ｇ／モル〜約４５，０００ｇ／モル、又は約７，５００ｇ／モル〜約３３，８００ｇ／モル、又は約１０，０００ｇ／モル〜約２２，５００ｇ／モルの重量平均分子量を有する。
【００４７】
他のポリマー。本組成物は好ましくは、任意の界面活性増進ポリマーに加えて、ポリマーを含む。好適な他のポリマーとしては、汚れ剥離ポリマー、再付着防止ポリマー、カルボキシレートポリマー及び／又は付着補助ポリマーが挙げられる。他の好適なポリマーとしては、ポリビニルピロリドンポリマー、ポリアミンＮ−酸化物ポリマー、Ｎ−ビニルピロリドンとＮ−ビニルイミダゾールポリマーのコポリマーなどの移染防止剤が挙げられる。
【００４８】
汚れ剥離ポリマー。好適な汚れ剥離ポリマーとしては、ランダム又はブロック構成において、糖、ジカルボン酸、ポリオール及びこれらの組み合わせから選択される少なくとも１種のモノマー単位を含むポリマーが挙げられる。他の好適な汚れ剥離ポリマーとしては、エチレンテレフタレート系ポリマー及びそのコポリマー、好ましくはランダム又はブロック構成におけるエチレンテレフタレート及びポリエチレンオキシドのコポリマーが挙げられる。
【００４９】
再付着防止ポリマー。本組成物は、再付着防止ポリマー、好ましくは０．１重量％〜１０重量％の再付着防止ポリマーを含んでもよい。好適な再付着防止ポリマーとしては、アクリル酸、マレイン酸（又は無水マレイン酸）、フマル酸、イタコン酸、アコニット酸、メサコン酸、シトラコン酸、メチレンマロン酸及びこれらの任意の混合物から選択される少なくとも１種のモノマーを含むポリマーなどのカルボキシレートポリマーが挙げられる。好適なカルボキシレートポリマーの例。
【００５０】
他の好適な再付着防止ポリマーとしては、好ましくは５００〜１００，０００Ｄａの範囲の分子量を有する、ポリエチレングリコールが挙げられる。
【００５１】
カルボキシレートポリマー。本組成物が、本組成物の０重量％〜５重量％の高分子カルボキシレートを含むことが好ましいものであり得る。高分子カルボキシレートは、洗浄液中で遊離のカルシウムイオンを封鎖することができる。カルボキシレートポリマーは、汚れ分散剤としても作用することができ、改善された微粒子染み除去洗浄効果をもたらすことができる。
【００５２】
本組成物は、好ましくは高分子アクリレートを含む。好ましい高分子ポリカルボキシレートは、好ましくは１，０００ダルトン〜２０，０００ダルトンの重量平均分子量を有するポリアクリレートと、好ましくはマレイン酸モノマーとアクリル酸モノマーのモル比１：１〜１：１０かつ１０，０００ダルトン〜２００，０００ダルトンの重量平均分子量を有し、又は好ましくはマレイン酸モノマーとアクリル酸モノマーのモル比０．３：１〜３：１かつ１，０００ダルトン〜５０，０００ダルトンの重量平均分子量を有するマレイン酸とアクリル酸とのコポリマーを含む。
【００５３】
付着助剤。本組成物は付着助剤を含んでもよい。好適な付着助剤は、多糖であり、好ましくはセルロース系ポリマーである。他の好適な付着助剤としては、ポリジアリルジメチルアンモニウムハロゲン化物（ＤＡＤＭＡＣ）、並びに、ランダム又はブロック構成での、ビニルピロリドン、アクリルアミド、イミダゾール、イミダゾリニウムハロゲン化物及びこれらの混合物との、ＤＡＤＭＡＣのコポリマーが挙げられる。他の好適な付着助剤としては、カチオン性グアーガム、カチオン性ヒドロキシエチルセルロース、カチオンデンプン、カチオン性ポリアシルアミドなどのカチオン性セルロース、及びこれらの混合物が挙げられる。
【００５４】
非高分子系移染防止剤。マンガン、フタロシアニン、ペルオキシダーゼ及びこれらの混合物などの非高分子系移染防止剤も使用されてもよい。
【００５５】
キレート剤。キレート剤は以下のものであり得るがこれらに限定されない：エチレン−ジアミン−四酢酸（ＥＤＴＡ）；ジエチレントリアミンペンタメチレンホスホン酸（ＤＴＰＭＰ）；ヒドロキシ−エタンジホスホン酸（ＨＥＤＰ）；エチレンジアミンＮ，Ｎ’−二コハク酸（ＥＤＤＳ）；メチルグリシン二酢酸（ＭＧＤＡ）；ジエチレントリアミン五酢酸（ＤＴＰＡ）；プロピレンジアミン四酢酸（ＰＤＴＡ）；２−ヒドロキシピリジン−Ｎ−オキシド（ＨＰＮＯ）；又はメチルグリシン二酢酸（ＭＧＤＡ）；グルタミン酸Ｎ，Ｎ−二酢酸（Ｎ，Ｎ−ジカルボキシメチルグルタミン酸四ナトリウム塩（ＧＬＤＡ）；ニトリロ三酢酸（ＮＴＡ）；４，５−ジヒドロキシ−ｍ−ベンゼンジスルホン酸；クエン酸：及びこれらの任意の塩。
【００５６】
キレート剤は、典型的には、組成物の重量の０．１重量％〜１０重量％の濃度で存在する。キレート剤は、液体組成物中に懸濁された固体粒子の形態であり得る。
【００５７】
色調染料。本組成物は、色調染料を含んでもよい。色調染料は、布地の白さの認識を改善するために、洗浄液から布地上に付着するように配合される。好ましくは、色調剤染料は、青又は紫である。シェーディング染料のピーク吸収波長が５５０ｎｍ〜６５０ｎｍ、好ましくは５７０ｎｍ〜６３０ｎｍであることが好ましい。単一染料がポリエステルに対して５５０ｎｍ〜６５０ｎｍ、好ましくは５７０ｎｍ〜６３０ｎｍのピーク吸収波長を有するなどのように、染料の組み合わせは、一緒になって、ヒトの目への視覚的効果を有する。これは、例えば、赤と緑−青の染料とを混合して、青又は紫の色合いを生じさせることにより、提供され得る。
【００５８】
染料は、界面活性剤を含有する水性媒体に可溶性である有色有機分子である。染料は、「Ｉｎｄｕｓｔｒｉａｌ  Ｄｙｅｓ」、Ｗｉｌｅｙ  ＶＣＨ  ２００２，Ｋ．Ｈｕｎｇｅｒ（編）に記載されている。染料は、英国染料染色学会（Society of Dyers and Colourists）及び米国繊維化学技術・染色技術協会（the American Association of Textile Chemists and Colorists）により公開されているＣｏｌｏｒ  Ｉｎｄｅｘ  Ｉｎｔｅｒｎａｔｉｏｎａｌに列挙されている。染料は、好ましくは、塩基性、酸性、疎水性、直接及び高分子染料、並びに染料結合体の部類から選択される。洗剤配合の業者であれば、これらの公開データから好適な色調染料を選択することができる。高分子色調染料は、例えば、Ｍｉｌｌｉｋｅｎ（Ｓｐａｒｔａｎｂｕｒｇ，Ｓｏｕｔｈ  Ｃａｒｏｌｉｎａ，ＵＳＡ）から市販されている。
【００５９】
好適な染料の例は、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット５１、ダイレクトバイオレット６６、ダイレクトバイオレット９９、アシッドバイオレット５０、アシッドブルー９、アシッドバイオレット１７、アシッドブラック１、アシッドレッド１７、アシッドブルー２９、ソルベントバイオレット１３、ディスパースバイオレット２７、ディスパースバイオレット２６、ディスパースバイオレット２８、ディスパースバイオレット６３及びディスパースバイオレット７７、ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８；ベーシックブルー３、ベーシックブルー７５、ベーシックブルー９５、ベーシックブルー１２２、ベーシックブルー１２４、ベーシックブルー１４１、チアゾリウム染料、リアクティブブルー１９、リアクティブブルー１６３、リアクティブブルー１８２、リアクティブブルー９６、Ｌｉｑｕｉｔｉｎｔ（登録商標）Ｖｉｏｌｅｔ  ＣＴ（Ｍｉｌｌｉｋｅｎ（Ｓｐａｒｔａｎｂｕｒｇ，ＵＳＡ））及びアゾ−ＣＭ−セルロース（Ｍｅｇａｚｙｍｅ（Ｂｒａｙ、アイルランド共和国）である。
【００６０】
酵素。本組成物は好ましくは、細菌由来リパーゼに加えて、酵素を含む。好ましくは、本組成物は、比較的高いレベルの酵素を含む。最も好ましくは、本組成物は、少なくとも０．１重量％の活性酵素を含む。本組成物が少なくとも０．０３重量％の活性酵素を含むことが好ましいものであり得る。
【００６１】
本組成物が、プロテアーゼ、アミラーゼ、リパーゼ、及び／又はセルラーゼから選択される少なくとも三成分酵素系を含むことが好ましい場合がある。
【００６２】
細菌由来リパーゼ本組成物は好ましくは、細菌由来リパーゼを含む。好ましいリパーゼは、以下から選択される：（ａ）ＳｒｉＩＩと少なくとも６０％、好ましくは少なくとも６５％、又は少なくとも７０％、又は少なくとも７５％、又は少なくとも８０％、又は少なくとも８５％、又は少なくとも９０％、又は少なくとも９５％、又は少なくとも９９％の相同性を有するリパーゼ、（ｂ）ＳｃｏＩＩＡと少なくとも６０％、好ましくは少なくとも６５％、又は少なくとも７０％、又は少なくとも７５％、又は少なくとも８０％、又は少なくとも８５％、又は少なくとも９０％、又は少なくとも９５％、又は少なくとも９９％の相同性を有するリパーゼ、（ｃ）ＳｃｏＩＩＢと少なくとも６０％、好ましくは少なくとも６５％、又は少なくとも７０％、又は少なくとも７５％、又は少なくとも８０％、又は少なくとも８５％、又は少なくとも９０％、又は少なくとも９５％、又は少なくとも９９％の相同性を有するリパーゼ、及び（ｄ）ＣｅｆＩＩと少なくとも６０％、好ましくは少なくとも６５％、又は少なくとも７０％、又は少なくとも７５％、又は少なくとも８０％、又は少なくとも８５％、又は少なくとも９０％、又は少なくとも９５％、又は少なくとも９９％の相同性を有するリパーゼ。
【００６３】
ＳｒｉＩＩは、ストレプトミセス・リモサス（Streptomyces rimosus）由来であり、その配列は配列番号１に示される。ＳｃｏＩＩＡは、ストレプトミセス・セリカラー（Streptomyces coelicolor）由来であり、その配列は配列番号２に示される。ＳｃｏＩＢは、ストレプトミセス・セリカラー（Streptomyces coelicolor）由来であり、その配列は配列番号３に示される。ＣｅｆＩＩは、コリネバクテリウム・エフィシエンス（Corynebacterium efficiens）由来であり、その配列は配列番号４に示される。
【００６４】
他のリパーゼ。好適なリパーゼとしては、細菌由来又は真菌由来のものが挙げられる。化学修飾された変異体又は改質されたタンパク質変異体が含まれる。有用なリパーゼの例としては、例えば、欧州特許第２５８  ０６８号及び同第３０５  ２１６号に記載されているＨ．ラヌギノーサ（H.lanuginosa）（Ｔ．ラノギノサス（T．lanuginosus））、又は国際公開特許第９６／１３５８０号に記載されているＨ．イソレンス（H．insolens）から得られるヒュミコラ（Humicola）（同義語は、サーモミセス（Thermomyces））、例えばＰ．アルカリゲネス（P．alcaligenes）又はＰ．シュードアルカリゲネス（P．pseudoalcaligenes）（欧州特許第２１８  ２７２号）、Ｐ．セパシア（P．cepacia）（欧州特許３３１  ３７６号）、Ｐ．スタツェリ（P．stutzeri）（英国特許第１，３７２，０３４号）、Ｐ．フルオレッセンス（P．fluorescens）、シュードモナスｓｐ．（Pseudomonas sp.）菌株ＳＤ  ７０５（国際公開特許第９５／０６７２０号、及び同第９６／２７００２号）、Ｐ．ウィスコンシネシス（P．wisconsinensis）（国際公開特許第９６／１２０１２号）から得られるシュードモナスリパーゼ、例えばＢ．ｓｕｂｔｉｌｉｓ（B．subtilis）（Ｄａｒｔｏｉｓら、（１９９３），Ｂｉｏｃｈｅｍｉｃａ  ｅｔ  Ｂｉｏｐｈｙｓｉｃａ  Ａｃｔａ，１１３１，２５３〜３６０）、Ｂ．ステアロサーモフィラス（B．stearothermophilus）（日本特許第６４／７４４９９２号）又はＢ．プミルス（B．pumilus）（国際公開特許第９１／１６４２２号）から得られるバチルスリパーゼ、などから得られるリパーゼが挙げられる。
【００６５】
リパーゼは、米国特許第６，９３９，７０２号、及び同第２００９／０２１７４６４号に説明されるものといった「第一サイクルのリパーゼ」であってもよい。一態様では、リパーゼは第一洗浄リパーゼであり、好ましくはＴ２３１Ｒ及びＮ２３３Ｒ変異を含む、子嚢菌（Thermomyces lanuginosus）由来の野生型リパーゼの変異体である。野生型配列は、Ｓｗｉｓｓ−ｐｒｏｔの受託番号Ｓｗｉｓｓ−Ｐｒｏｔ  Ｏ５９９５２の、（Ｔｈｅｒｍｏｍｙｃｅｓ  ｌａｎｕｇｉｎｏｓｕｓ（Ｈｕｍｉｃｏｌａ  ｌａｎｕｇｉｎｏｓａ）由来の）２６９個のアミノ酸（アミノ酸２３〜２９１）である。好ましいリパーゼは、Ｎｏｖｏｚｙｍｅｓ（Ｂａｇｓｖａｅｒｄ，Ｄｅｎｍａｒｋ）によって、Ｌｉｐｅｘ（登録商標）、Ｌｉｐｏｌｅｘ（登録商標）、及びＬｉｐｏｃｌｅａｎ（登録商標）の商品名で販売されるものが挙げられよう。
【００６６】
好ましくは、本組成物は、野生型アミノ酸と＞９０％の相同性を有し、Ｔ２３１及び／又はＮ２３３、好ましくは、Ｔ２３１Ｒ及び／又はＮ２３３Ｒで置換（複数を含む）を含む、サーモミセス・ラヌギノーサ（Thermomyces lanuginosa）リパーゼの変異体（本明細書において、「第一洗浄リパーゼ」）を含む。
【００６７】
プロテアーゼ。好適なプロテアーゼとしては、サブチリシン（ＥＣ  ３．４．２１．６２）などの、中性又はアルカリ性の微生物セリンプロテアーゼを含めた、メタロプロテアーゼ及び／又はセリンプロテアーゼが挙げられる。好適なプロテアーゼとしては、動物、植物又は微生物由来のものが挙げられる。一態様では、そのような好適なプロテアーゼは、微生物由来のものとすることができる。好適なプロテアーゼとしては、前述の好適なプロテアーゼの化学修飾又は遺伝子組み換えの突然変異体が挙げられる。一態様では、好適なプロテアーゼは、アルカリ性微生物プロテアーゼ又は／及びトリプシン型プロテアーゼなどのセリンプロテアーゼであり得る。好適な中性又はアルカリ性プロテアーゼの例としては、以下のものが挙げられる：
（ａ）サブチリシン（ＥＣ  ３．４．２１．６２）（バチルス・レンタス、Ｂ．アルカロフィルス（B．alkalophilus）、Ｂ．サブチリス、Ｂ．アミロリケファシエンス、バチルス・プミルス及びバチルス・ギブソニィ（Bacillus gibsonii）などのバチルスから誘導されたものを含む）（米国特許第６，３１２，９３６号、同第５，６７９，６３０号、同第４，７６０，０２５号、同第７，２６２，０４２号及び国際公開特許第０９／０２１８６７号に記載）。
【００６８】
（ｂ）トリプシン（例えばブタ又はウシ由来）などのトリプシン型又はキモトリプシン型プロテアーゼ（ＰＣＴ国際公開特許第８９／０６２７０号に記述されているフサリウムプロテアーゼ、及び同０５／０５２１６１号及び同０５／０５２１４６に記述されているセルロモナス（Cellumonas）に由来するキモトリプシンプロテアーゼを含む）。
【００６９】
（ｃ）メタロプロテアーゼ（国際公開特許第０７／０４４９９３号に記述されているバチルス・アミロリケファシエンスから誘導されたものを含む）。
【００７０】
好ましいプロテアーゼとしては、バチルス・ギブソニィ又はバチルス・レンタスから誘導されるものが挙げられる。
【００７１】
好適な市販のプロテアーゼ酵素としては：Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以降ＢＬＡＰとして参照する）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）、並びに花王のＫＡＰ（変異Ａ２３０Ｖ＋Ｓ２５６Ｇ＋Ｓ２５９Ｎを有するＢａｃｉｌｌｕｓ  ａｌｋａｌｏｐｈｉｌｕｓのサブチリシン）が挙げられる。
【００７２】
好ましくは、本組成物は、ＢＬＡＰ、ＢＬＡＰ  Ｒ、ＢＬＡＰ  Ｘ、又はＢＬＡＰ  Ｆ４９から選択されるサブチリシンプロテアーゼを含む。
【００７３】
セルラーゼ。好適なセルラーゼとしては、細菌由来又は真菌由来のセルラーゼが挙げられる。化学修飾された変異体又は改質されたタンパク質変異体が含まれる。好適なセルラーゼとしては、バチルス属（genera Bacillus）、シュードモナス（Pseudomonas）属、ヒュミコラ（Humicola）属、フサリウム（Fusarium）属、チエラビア（Thielavia）属、アクレモニウム（Acremonium）属由来のセルラーゼが挙げられ、例えば、ヒュミコラ・インソレンス（Humicola insolens）、ミセリオフトラ・テルモフィラ（Myceliophthora thermophila）から作成される真菌セルラーゼ、及び米国特許第４，４３５，３０７号、同第５，６４８，２６３号、同第５，６９１，１７８号、同第５，７７６，７５７号及び国際公開特許第８９／０９２５９号に開示されているフザリウム・オキスポラム（Fusarium oxysporum）が挙げられる。
【００７４】
一態様では、セルラーゼは、米国特許第７，１４１，４０３号に記載の配列番号２のアミノ酸配列と少なくとも９０％、９４％、９７％、及び更には９９％相同性である配列及びこれらの混合物を有する、例えば、バチルス属の一員に対して内因性の細菌性ポリペプチドなどの、エンド−β−１，４グルカナーゼ活性（Ｅ．Ｃ．３．２．１．４）を示す微生物由来のエンドグルカナーゼを含み得る。好適なエンドグルカナーゼは、商品名Ｃｅｌｌｕｃｌｅａｎ（登録商標）（Ｎｏｖｏｚｙｍｅｓ  Ａ／Ｓ，Ｂａｇｓｖａｅｒｄ，Ｄｅｎｍａｒｋ）で販売されている。更に好適なエンドグルカナーゼは、米国特許第７，３６１，７３６号（Ｎｏｖｏｚｙｍｅｓ）号に記載のＸＹＧ１００６酵素の変異体である。好適なエンドグルカナーゼは、商品名Ｗｈｉｔｅｚｙｍｅ（登録商標）（Ｎｏｖｏｚｙｍｅｓ  Ａ／Ｓ，Ｂａｇｓｖａｅｒｄ，Ｄｅｎｍａｒｋ）で販売されている。
【００７５】
好ましくは、本組成物は、１７ｋＤａ〜３０ｋＤａの分子量を有する、グリコシルヒドロラーゼのファミリー４５に属する洗浄セルラーゼ、例えば、Ｂｉｏｔｏｕｃｈ（登録商標）ＮＣＤ、ＤＣＣ、及びＤＣＬ（ＡＢ  Ｅｎｚｙｍｅｓ，Ｄａｒｍｓｔａｄｔ，Ｇｅｒｍａｎｙ）の商品名で販売されるエンドグルカナーゼを含む。
【００７６】
アミラーゼ。好ましくは、本組成物は、バチルスｓｐ．ＤＳＭ  １２６４９に内因性のＡＡ５６０アルファアミラーゼと６０％超の相同性を有するアミラーゼ、好ましくは、
（ａ）位置９、２６、１４９、１８２、１８６、２０２、２５７、２９５、２９９、３２３、３３９及び３４５のうちの１つ以上の位置において変異を有し、並びに、
（ｂ）任意に、位置１１８、１８３、１８４、１９５、３２０及び４５８（存在する場合は好ましくはＲ１１８Ｋ、Ｄ１８３＊、Ｇ１８４＊、Ｎ１９５Ｆ、Ｒ３２０Ｋ及び／又はＲ４５８Ｋを含む）のうち１つ以上の位置において、好ましくはすべての位置において、置換及び／又は欠失を有する、バチルスｓｐ．ＤＳＭ  １２６４９に内因性のＡＡ５６０アルファアミラーゼの変異体、を含む。
【００７７】
好適な市販のアミラーゼ酵素としては、Ｓｔａｉｎｚｙｍｅ（登録商標）Ｐｌｕｓ、Ｓｔａｉｎｚｙｍｅ（登録商標）、Ｎａｔａｌａｓｅ、Ｔｅｒｍａｍｙｌ（登録商標）、Ｔｅｒｍａｍｙｌ（登録商標）Ｕｌｔｒａ、Ｌｉｑｕｅｚｙｍｅ（登録商標）ＳＺ（全てＮｏｖｏｚｙｍｅｓ，Ｂａｇｓｖａｅｒｄ，Ｄｅｎｍａｒｋ）、及びＳｐｅｚｙｍｅ（登録商標）ＡＡ、又はＵｌｔｒａｐｈｌｏｗ（Ｇｅｎｅｎｃｏｒ，Ｐａｌｏ  Ａｌｔｏ，ＵＳＡ）が挙げられる。
【００７８】
コリンオキシダーゼ。好ましくは、本組成物は、Ｄ．Ｒｉｂｉｔｓｃｈ  ｅｔ  ａｌ．，Ａｐｐｌｉｅｄ  Ｍｉｃｒｏｂｉｏｌｏｇｙ  ａｎｄ  Ｂｉｏｔｅｃｈｎｏｌｏｇｙ，Ｖｏｌｕｍｅ  ８１，Ｎｕｍｂｅｒ  ５，ｐｐ  ８７５〜８８６（２００９）に開示される技術を使用して生成される、アルスロバクタ・ニコチアナエ（Arthrobacter nicotianae）に内因性の５９．１ｋＤａコリンオキシダーゼ酵素といった、コリンオキシダーゼ酵素を含む。
【００７９】
他の酵素。他の好適な酵素は、植物、細菌、又は真菌由来のものを含む、ペルオキシダーゼ／オキシダーゼである。化学修飾された変異体又は改質されたタンパク質変異体が含まれる。有用なペルオキシダーゼの例は、コプリナス（Coprinus）属のペルオキシダーゼ、例えば、国際公開特許第９３／２４６１８号、同第９５／１０６０２号、及び同第９８／１５２５７号に記載のようなＣ．サイネレウス（cinereus）及びその変異型のペルオキシダーゼである。
【００８０】
市販のペルオキシダーゼとしては、ＧＵＡＲＤＺＹＭＥ（登録商標）（Ｎｏｖｏｚｙｍｅｓ  Ａ／Ｓ）が挙げられる。
【００８１】
他の好ましい酵素としては、商品名Ｐｅｃｔａｗａｓｈ（登録商標）、Ｐｅｃｔａｗａｙ（登録商標）で販売されるペクチン酸リアーゼ；商品名Ｍａｎｎａｗａｙ（登録商標）で販売されるマンナナーゼ（全てＮｏｖｏｚｙｍｅｓ  Ａ／Ｓ，Ｂａｇｓｖａｅｒｄ，Ｄｅｎｍａｒｋから）、及びＰｕｒａｂｒｉｔｅ（登録商標）（Ｇｅｎｅｎｃｏｒ  Ｉｎｔｅｒｎａｔｉｏｎａｌ  Ｉｎｃ．，Ｐａｌｏ  Ａｌｔｏ，Ｃａｌｉｆｏｒｎｉａ）；クチナーゼ；ラッカーゼ；ホスホリパーゼ；リソホスホリパーゼ；アシルトランスフェラーゼ；ペルヒドラーゼ；アリールエステラーゼ並びにこれらの任意の混合物が挙げられる。
【００８２】
相同性。２つのアミノ酸配列の間の関係は、「相同性」パラメーターによって説明される。本発明の目的上、２つのアミノ酸配列のアラインメントは、ＥＭＢＯＳＳパッケージ（ｈｔｔｐ：／／ｅｍｂｏｓｓ．ｏｒｇ）バージョン２．８．０由来のＮｅｅｄｌｅプログラムを使用することによって判定される。ニードルプログラムは、Ｎｅｅｄｌｅｍａｎ，Ｓ．Ｂ．及びＷｕｎｓｃｈ，Ｃ．Ｄ．（１９７０）Ｊ．Ｍｏｌ．Ｂｉｏｌ．、４８、４４３〜４５３に記載のグローバルアラインメントアルゴリズムを実行する。使用される置換マトリクスは、ＢＬＯＳＵＭ６２であり、ギャップ開始ペナルティは１０、ギャップ伸長ペナルティは０．５である。
【００８３】
酵素安定剤。本組成物は、酵素安定剤を含み得る。好適な酵素安定剤としては、プロピレングリコール若しくはグリセロールなどのポリオール、糖若しくは糖アルコール、乳酸、可逆的プロテアーゼ阻害剤、ホウ酸若しくはホウ酸誘導体、例えば、芳香族ホウ酸エステル、又は４−ホルミルフェニルボロン酸などのフェニルボロン酸誘導体が挙げられる。本組成物は、プロピレングリコール又はグリセロールなどのポリオール、糖又は糖アルコールから好ましくは選択される、無ホウ酸酵素安定剤を含むことが好ましい場合がある。本組成物は、ホウ酸を実質的に含まないことが、更に好ましい場合がある。実質的に含まないとは、典型的には、「意図的に添加されたものを含まない」ことを意味する。ホウ酸を含まないことはまた、典型的には、ホウ砂などの、ホウ酸の供給源を含まないことも包含する。
【００８４】
カルシウム及びマグネシウムカチオン。好ましくは、本組成物は、少なくとも０．２重量％〜５重量％のカルシウム及び／又はマグネシウムカチオンを含む。
【００８５】
視覚信号成分。好適な視覚信号成分としては、任意の反射性及び／又は屈折性物質、好ましくは雲母が挙げられる。
【００８６】
消泡剤。本明細書の洗剤組成物は、約０．００１重量％〜約４．０重量％の、シリコーン消泡化合物、シリコーンオイル及び疎水性粒子の消泡化合物、及びこれらの混合物から選択される消泡剤を含む。一実施形態では、本明細書の組成物は、約０．０１重量％〜約２．０重量％、あるいは０．０５重量％〜約１．０重量％のシリコーン消泡剤を含む（活性量による百分率であり、キャリアはまったく含まない）。
【００８７】
一実施形態では、消泡剤は、シリコーン樹脂及び修飾シリカと結合したアリール又はアルキルアリール置換基を有するオルガノ修飾シリコーンポリマー、Ｍ／Ｑ樹脂、及びこれらの混合物から選択される。
【００８８】
脂肪酸。本組成物は好ましくは、０重量％〜１０重量％、好ましくは０重量％〜５重量％、好ましくは０．１重量％〜５重量％、好ましくは０．５重量％〜３重量％の飽和又は不飽和脂肪酸、好ましくは飽和又は不飽和Ｃ１２〜Ｃ２４脂肪酸を含み、飽和Ｃ１２〜Ｃ１８脂肪酸はきわめて好ましい。
【００８９】
構造剤／増粘剤。構造化液体は、それにより一次成分（例えば界面活性剤物質）によって構造が形成されるように内部的に構造化され得、かつ／又は二次成分（例えばポリマー、クレイ及び／又はケイ酸塩物質）を使用する三次元マトリックス構造を提供することによって外部的に構造化され得る。
【００９０】
本組成物は、構造剤を含み得、好ましくは、０．０１重量％〜５重量％、０．１重量％２．０重量％の構造剤を含み得る。構造剤は、典型的には、ジグリセリド及びトリグリセリド、エチレングリコールジステアレート、微結晶セルロース、セルロース系物質、マイクロファイバーセルロース、バイオポリマー、キサンタンガム、ジェランガム、及びこれらの混合物からなる群から選択される。好適な構造剤としては、水添ヒマシ油、及びその非エトキシル化誘導体が挙げられる。本組成物は、リパーゼを実質的に含まないことが好ましい場合があり、実質的に含まないとは、典型的には、「意図的に添加されたものを含まない」ことを意味する。このことは、本組成物が、水添ヒマシ油、及びその非エトキシル化誘導体を含む場合、特に好ましい。好適な構造剤は、米国特許第６８５５６８０号のものであり、そのような構造剤は、ある範囲のアスペクト比を有する、糸状構造化システムを有する。他の好適な構造剤、及びそれらの構造剤を作製するためのプロセスは、国際公開第２０１０／０３４７３６号に記載されている。
【００９１】
エチレングリコールジステアレートは、視覚信号成分としても使用することができる。
【００９２】
脂肪族アルコールゲルネットワーク本組成物が第一洗浄リパーゼを、特に好ましくは脂肪族アルコールゲルネットワークのようなゲルネットワークとの組み合わせで含むことが好ましいものであり得る。ゲルネットワークは、国際公開第０９／１２０８５４号、同第０８／１２７８６１号、同第０７／０４０５７１号及び同第００／０３６０７８号に記載されている。ドデカノールなどのＣ８〜Ｃ１２脂肪族アルコールの脂肪族アルコールゲルネットワークは特に好ましい。あるいは、ガムゲルネットワークも使用することができる。
【００９３】
溶媒。本組成物は、好ましくは溶媒を含む。好ましい溶媒としては、アルコール及び／又はグリコール、好ましくはメタノール、エタノール及び／又はプロピレングリコールが挙げられる。好ましくは、本組成物は、酵素安定性改善のために、メタノール及びエタノールをまったく又は最小限の量しか含まず、代わりに、比較的多量のプロピレングリコールを含む。好ましくは、本組成物は、プロピレングリコールを含む。
【００９４】
好適な溶媒としてはＣ４〜Ｃ１４のエーテル及びジエーテル、グリコール、又はアルコキシル化グリコール、Ｃ６〜Ｃ１６グリコールエーテル、アルコキシル化アルコール、アルコキシル化芳香族アルコール、芳香族アルコール、脂肪族分枝状アルコール、アルコキシル化脂肪族分枝状アルコール、アルコキシル化直鎖Ｃ１〜Ｃ５アルコール、直鎖Ｃ１〜Ｃ５アルコール、アミン、Ｃ８〜Ｃ１４アルキル及びシクロアルキル炭化水素及びハロ炭化水素、並びにこれらの混合物が挙げられる。
【００９５】
好ましい溶媒は、メトキシオクタデカノール、２−（２−エトキシエトキシ）エタノール、ベンジルアルコール、２−エチルブタノール及び／又は２−メチルブタノール、１−メチルプロポキシエタノール及び／又は２−メチルブトキシエタノール、直鎖Ｃ１〜Ｃ５アルコール（メタノール、エタノール、プロパノール、ブチルジグリコールエーテル（ＢＤＧＥ）、ブチルトリグリコールエーテル、第三級アミルアルコール、グリセロール、イソプロパノールなど）、及びこれらの混合物から選択される。本明細書で使用することができる特に好ましい溶媒は、ブトキシプロポキシプロパノール、ブチルジグリコールエーテル、ベンジルアルコール、ブトキシプロパノール、プロピレングリコール、グリセロール、エタノール、メタノール、イソプロパノール、及びこれらの混合物である。他の好適な溶媒には、プロピレングリコール及びジエチレングリコール、並びにこれらの混合物が挙げられる。
【００９６】
電解強度。脱イオン水中１ｇ／Ｌの濃度及び２５℃の温度でのｍＳｃｍ−１単位における本組成物の電解強度は、好ましくは２００ｍＳｃｍ−１未満、より好ましくは１５０ｍＳｃｍ−１未満、更により好ましくは１００ｍＳｃｍ−１未満、更には７５ｍＳｃｍ−１未満、又は更には５０ｍＳｃｍ−１未満である。電解強度は、伝導度メーターなどの任意の好適な手段により測定することができる。
【００９７】
緩衝剤。本組成物は、典型的に、緩衝剤を含む。好ましい緩衝剤としては、モノエタノールアミン（ＭＥＡ）及びトリエタノールアミン（ＴＥＡ）が挙げられる。ホウ砂を緩衝剤として使用してもよいが、好ましくは本組成物はホウ砂を実質的に含まない。「実質的に含まない」は、典型的には、本組成物中が、意図的に添加されたホウ砂をまったく含まないことを意味する。
【００９８】
アルカノールアンモニウムカチオン。好ましくは、本組成物は、アルカノールアンモニウムカチオン、好ましくはモノエタノールアミン（ＭＥＡ）及び／又はトリエタノールアミン（ＴＥＡ）を含む。
【００９９】
ヒドロトロープ。本組成物は、ヒドロトロープを含んでもよい。好ましいヒドロトロープは、モノプロピレングリコールである。
【０１００】
シクロデキストリン。本組成物は、シクロデキストリンを含んでもよい。シクロデキストリンは、本組成物中に直接組み込まれてもよく、あるいは、シクロデキストリンは、その場で形成されてもよく、シクロマルトデキストリングルコトランスフェラーゼ（ＣＧＴアーゼ）と、デンプン又はデキストリンの基質とが本組成物中に組み込まれる。
【０１０１】
遊離水。本組成物は、好ましくは、１０重量％未満、又は５重量％未満、又は４重量％未満、又は３重量％未満の遊離水、又は２重量％未満の遊離水、又は１重量％未満の遊離水を含み、無水であってもよく、典型的には、意図的に加えられた遊離水を含まない。遊離水は典型的にはカール・フィッシャー滴定を使用して測定される。洗濯洗剤組成物２ｇを、室温で２０分にわたって乾燥メタノール５０ｍＬ中に抽出し、このメタノール１ｍＬをカール・フィッシャー滴定によって分析する。
【０１０２】
洗剤成分。本組成物は、典型的には、他の洗剤成分を含む。好適な洗剤成分としては、以下のものが挙げられる：遷移金属触媒；アミラーゼ、カルボヒドラーゼ、セルラーゼ、ラッカーゼ、リパーゼ、漂白酵素（オキシダーゼ及びペルオキシダーゼなど）、プロテアーゼ、ペクタートリアーゼ及びマンナナーゼなどの酵素；シリコーン系消泡剤などの消泡系；増白剤；色調剤；光漂白剤；粘土、シリコーン及び／又は第四級アンモニウム化合物などの布地柔軟化剤；ポリエチレンオキシドなどの凝集剤；ポリビニルピロリドン、ポリ４−ビニルピリジンＮ−酸化物及び／又はビニルピロリドンとビニルイミダゾールのコポリマーなどの移染防止剤；イミダゾールとエピクロロヒドリンの縮合により作製されるオリゴマーなどの布地統合成分；アルコキシル化ポリアミン及びエトキシル化エチレンイミンポリマーなどの、汚れ分散剤及び汚れ再付着防止助剤；ポリエステルなどの再付着防止成分；香料マイクロカプセルなどの香料；石鹸環（soap rings）；審美的粒子；染料；硫酸ナトリウムなどの充填剤（ただし、本組成物が充填剤を実質的に含まないことが好ましい）；１．６Ｒ及び２．０Ｒケイ酸ナトリウム又はメタケイ酸ナトリウムといった、ケイ酸ナトリウムなどのケイ酸塩；ジカルボン酸とジオールのコポリエステル；メチルセルロース、カルボキシメチルセルロース、ヒドロキシエトキシセルロース又は他のアルキル若しくはアルキルアルコキシセルロースなどのセルロース系ポリマー；並びにこれらの任意の組み合わせ。
【０１０３】
布地の洗濯方法。布地の洗濯方法は、液体洗濯洗剤組成物を水に接触させて洗浄液を形成する工程と、その洗浄液中で布地を洗濯する工程と、を含む。液体洗濯洗剤組成物は、上記でより詳細に説明されている。布地は、洗濯洗剤組成物を水と接触させる前、接触させた後、又は接触させると同時に、水に接触させることができる。
【０１０４】
典型的には、洗浄液は、洗浄液中の洗濯洗剤組成物の濃度が０ｇ／Ｌ超〜４ｇ／Ｌ、好ましくは１ｇ／Ｌから、好ましくは３．５ｇ／Ｌまで又は３．０ｇ／Ｌまで又は２．５ｇ／Ｌまで又は２．０ｇ／Ｌまで又は１．５ｇ／Ｌまで又は更には１．０ｇ／Ｌまで又は更には０．５ｇ／Ｌまでであるような量で、水に洗濯洗剤を接触させることにより形成される。
【０１０５】
非常に好ましくは、この布地の洗濯方法は、ドラム式全自動洗濯機内で実施される。この実施形態では、形成される洗浄液、及び洗浄液中の洗濯洗剤組成物の濃度は、主要洗浄サイクルのものである。ドラム式全自動洗濯機を使用して布地を洗濯する場合に典型的に行なわれる、いずれの任意選択的なすすぎ工程中の、いずれの水の投入量も、洗浄液の容積を決定する際には含まれない。当然ながら、任意の好適な全自動洗濯機を使用することができるが、ドラム式全自動洗濯機を使用することが、極めて大いに好ましい。
【０１０６】
洗浄液は、４０リットル以下の水を含み、好ましくは３５リットル以下の、好ましくは３０リットル以下の、好ましくは２５リットル以下の、好ましくは２０リットル以下の、好ましくは１５リットル以下の、好ましくは１２リットル以下の、好ましくは１０リットル以下の、好ましくは８リットル以下の、又は更に６リットル以下の水を含むことが、大いに好ましい。好ましくは、洗浄液は、０超過〜１５リットルの、あるいは１リットル〜の、又は２リットル〜の、又は３リットル〜の、かつ好ましくは〜１２リットルの、又は〜１０リットルの、又は更に〜８リットルの水を含む。最も好ましくは、洗浄液は、１リットル〜の、又は２リットル〜の、又は３リットル〜の、又は４リットル〜の、又は更に５リットル〜の水を含む。
【０１０７】
典型的には、洗浄液１リットル当たり、０．０１ｋｇ〜２ｋｇの布地が、その洗浄液中に投与される。典型的には、洗浄液１リットル当たり、０．０１ｋｇから、又は０．０２ｋｇから、又は０．０３ｋｇから、又は０．０５ｋｇから、又は０．０７ｋｇから、又は０．１０ｋｇから、又は０．１２ｋｇから、又は０．１５ｋｇから、又は０．１８ｋｇから、又は０．２０ｋｇから、又は０．２２ｋｇから、又は０．２５ｋｇからの布地が、上記洗浄液中に投与される。
【０１０８】
好ましくは５０ｇ以下、より好ましくは４５ｇ以下、又は４０ｇ以下、又は３５ｇ以下、又は３０ｇ以下、又は２５ｇ以下、又は２０ｇ以下、又は更には１５ｇ以下、又は更には１０ｇ以下の洗濯洗剤組成物を水に接触させて、洗浄液を形成する。
【０１０９】
好ましくは、洗濯洗剤組成物は、０リットル超過〜の、好ましくは１リットル超過〜の、かつ好ましくは７０リットル以下の水に接触させて洗浄液を形成するか、又は好ましくは４０リットル以下の水に、又は好ましくは３５リットル以下の水に、又は好ましくは３０リットル以下の水に、又は好ましくは２５リットル以下の水に、又は好ましくは２０リットル以下の水に、又は好ましくは１５リットル以下の水に、又は好ましくは１２リットル以下の水に、又は好ましくは１０リットル以下の水に、又は好ましくは８リットル以下の水に、又は更に６リットル以下の水に接触させて、洗浄液を形成する。
【０１１０】
典型的には、布地は、３０℃以下、好ましくは２５℃以下、又は２０℃以下、又は更には１５℃以下、又は更には１０℃以下の温度で、上記洗浄液中で洗濯される。
【０１１１】
注記。本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【実施例】
【０１１２】
【表１】
2013532204.tif 000008
【配列表】
2013532204000001.app
【国際調査報告】
2013532204.tif 000009
2013532204.tif 000010
2013532204.tif 000011
2013532204.tif 000012
2013532204.tif 000013